(57)【要約】【課題】窃盗犯の運転による盗難と、牽引または搬送による盗難のそれぞれに対応した車両盗難対応処理を行う。【解決手段】制御部１１は、盗難監視の開始指示入力受信時に車両の位置を測位し監視開始位置情報として記憶部１４に記録する手段と、開始指示入力受信後にエンジンの作動を検出すると作動中のエンジンを強制停止させ、エンジンやドア，窓をロックする手段と、車両内部を撮影する第１のビデオカメラ１６による撮影映像を前記監視開始位置情報とともに盗難通知情報に含め盗難処理サーバ２０に送信する手段と、一定時間毎に車両の現在位置を測位して前記監視開始位置と同じかを比較する手段と、同じでなくエンジンの作動も無かった場合は、エンジンやドア，窓をロックする手段と、車両前方の風景を撮影する第２のビデオカメラ１７による撮影映像を車両の現在位置情報とともに盗難通知情報に含め盗難処理サーバ２０に送信する手段とを有する。【選択図】      図１
2005029051.tif 000002
【特許請求の範囲】
【請求項１】
車両盗難監視の開始指示を入力する手段と、開始指示入力受信後に盗難の有無を監視し、窃盗犯の運転による盗難か牽引または搬送による盗難かの盗難の種類を判別する手段と、盗難の種類に応じて異なる盗難通知情報をネットワークを介して所定の盗難処理サーバに送信する手段と、盗難を識別したときに、車両のエンジンやドア，窓をロックする手段とを有することを特徴とする車両盗難対応装置。
【請求項２】
車両盗難監視の開始指示を入力する手段と、開始指示入力受信後に盗難の有無を監視し、車両移動を伴った盗難か車両移動を伴わない盗難かの盗難の種類を判別する手段と、盗難の種類に応じて異なる盗難通知情報をネットワークを介して所定の盗難処理サーバに送信する手段と、盗難を識別したときに、車両のエンジンやドア，窓をロックする手段とを有することを特徴とする車両盗難対応装置。
【請求項３】
盗難監視の開始指示を入力する手段と、開始指示入力受信時に車両の位置を測位し監視開始位置情報として記録する手段と、開始指示入力受信後にエンジンの作動を検出すると窃盗犯の運転による盗難と判断し、作動中のエンジンを強制停止させ、エンジンやドア，窓をロックする手段と、車両内部を撮影する第１のビデオカメラによる撮影映像を前記監視開始位置情報とともに第１の盗難通知情報に含めネットワークを介して所定の盗難処理サーバに送信する手段と、一定時間毎に車両の現在位置を測位して前記監視開始位置と同じかを比較する手段と、同じでなくエンジンの作動も無かった場合は牽引または搬送による盗難と判断し、エンジンやドア，窓をロックする手段と、車両前方の風景を撮影する第２のビデオカメラによる撮影映像を車両の現在位置情報とともに第２の盗難通知情報に含めネットワークを介して前記盗難処理サーバに送信する手段とを有することを特徴とする車両盗難対応装置。
【請求項４】
車両に備えられた車両盗難対応装置，第１のビデオカメラ，第２のビデオカメラと、盗難処理サーバと、車両所有者端末と、これらを相互に接続するインターネットとを備えた車両盗難対応システムであって、
前記車両盗難対応装置は、盗難監視の開始指示を入力する手段と、開始指示入力受信時に車両の位置を測位し監視開始位置情報として記録する手段と、開始指示入力受信後にエンジンの作動を検出すると窃盗犯の運転による盗難と判断し、作動中のエンジンを強制停止させ、エンジンやドア，窓をロックする手段と、車両内部を撮影する前記第１のビデオカメラによる撮影映像を前記監視開始位置情報とともに第１の盗難通知情報に含め前記盗難処理サーバに送信する手段と、一定時間毎に車両の現在位置を測位して前記監視開始位置と同じかを比較する手段と、同じでなくエンジンの作動も無かった場合は牽引または搬送による盗難と判断し、エンジンやドア，窓をロックする手段と、車両前方の風景を撮影する前記第２のビデオカメラによる撮影映像を車両の現在位置情報とともに第２の盗難通知情報に含め前記盗難処理サーバに送信する手段とを有し、
前記第１のビデオカメラは、運転席を主体とした車両内部を撮影可能な場所に設置され、前記車両盗難対応装置から起動されて撮影する手段と、撮影した映像を前記車両盗難対応装置に送信する手段とを有し、
前記第２のビデオカメラは、車両の前方風景を撮影可能な場所に設置され、前記車両盗難対応装置から起動されて撮影する手段と、撮影した映像を前記車両盗難対応装置に送信する手段とを有し、
前記盗難処理サーバは、前記車両盗難対応装置から受信した第１または第２の盗難通知情報を記録する手段と、前記車両所有者端末に盗難情報を送信する手段とを有し、
前記車両所有者端末は、前記盗難処理サーバから送信された盗難情報を受信して表示する手段を有することを特徴とする車両盗難対応システム。
【請求項５】
前記盗難処理サーバが、所定の関係機関端末に前記インターネットを介して盗難情報を送信する手段をさらに有することを特徴とする請求項４記載の車両盗難対応システム。
【請求項６】
前記盗難処理サーバは、前記第１または第２の盗難通知情報に含まれる車両ＩＤを基に予め内部に登録された車両情報を取得し、前記盗難情報として、日時情報，車両移動を伴った盗難か伴わない盗難かを示す盗難の種類，車両の位置情報，車両情報，映像を含む情報を送信することを特徴とする請求項４または５記載の車両盗難対応システム。
【請求項７】
前記盗難処理サーバは、前記第１または第２の盗難通知情報に含まれる車両ＩＤを基に予め内部に登録された車両情報を取得し、日時情報，車両移動を伴った盗難か伴わない盗難かを示す盗難の種類，車両の位置情報，車両情報，映像を含む盗難情報の中から、送信先端末毎に予め登録された盗難情報を選択して送信することを特徴とする請求項４または５記載の車両盗難対応システム。
【請求項８】
前記車両情報は車種，車両ナンバー，車両の色を含むことを特徴とする請求項６または７記載の車両盗難対応システム。
【請求項９】
車両に備えられた車両盗難対応装置，第１のビデオカメラ，第２のビデオカメラと、盗難処理サーバと、関係機関端末と、車両所有者端末と、これらを相互に接続するインターネットとを備えたシステムにおける車両の盗難対応方法であって、
前記車両盗難対応装置が盗難監視の開始指示を受信するステップと、前記車両盗難対応装置が開始指示入力受信時に車両の位置を測位し監視開始位置情報として記録するステップと、前記車両盗難対応装置が開始指示入力受信後にエンジンの作動を検出すると窃盗犯の運転による盗難と判断し、作動中のエンジンを強制停止させ、エンジンやドア，窓をロックするステップと、車両内部を撮影する前記第１のビデオカメラによる撮影映像を前記車両盗難対応装置が前記監視開始位置情報とともに第１の盗難通知情報に含め前記盗難処理サーバに送信するステップと、前記車両盗難対応装置が一定時間毎に車両の現在位置を測位して前記監視開始位置と同じかを比較するステップと、同じでなくエンジンの作動も無かった場合は前記車両盗難対応装置が牽引または搬送による盗難と判断し、エンジンやドア，窓をロックするステップと、車両前方の風景を撮影する前記第２のビデオカメラによる撮影映像を前記車両盗難対応装置が車両の現在位置情報とともに第２の盗難通知情報に含め前記盗難処理サーバに送信するステップと、前記盗難処理サーバが前記車両盗難対応装置から受信した第１または第２の盗難通知情報を記録するステップと、前記盗難処理サーバが前記関係機関端末または前記車両所有者端末の一方または両方に盗難情報を送信するステップとを有することを特徴とする車両の盗難対応方法。
【請求項１０】
盗難監視の開始指示入力を受信する機能、開始指示入力受信時に車両の位置を測位し監視開始位置情報として記録する機能、開始指示入力受信後にエンジンの作動を検出すると窃盗犯の運転による盗難と判断し、作動中のエンジンを強制停止させ、エンジンやドア，窓をロックする機能、車両内部を撮影する第１のビデオカメラによる撮影映像を前記監視開始位置情報とともに第１の盗難通知情報に含めネットワークを介して盗難処理サーバに送信する機能、一定時間毎に車両の現在位置を測位して前記監視開始位置と同じかを比較する機能、同じでなくエンジンの作動も無かった場合は牽引または搬送による盗難と判断し、エンジンやドア，窓をロックする機能、車両前方の風景を撮影する第２のビデオカメラによる撮影映像を車両の現在位置情報とともに第２の盗難通知情報に含めネットワークを介して盗難処理サーバに送信する機能、をコンピュータに実現させるためのプログラム。
【発明の詳細な説明】
【技術分野】
【０００１】
本発明は、車両盗難対応装置，車両盗難対応システム，方法およびプログラムに関し、特に、車両を運転しての盗難と牽引や搬送による盗難とのそれぞれに対応した車両盗難対応装置，車両盗難対応システム，方法およびプログラムに関する。
【背景技術】
【０００２】
従来の車両盗難への対応としては、例えば、特開２００３−９５０７２号公報（特許文献１）に記載された車両盗難防止装置及び車両盗難防止システムがある。
【０００３】
この特許文献１においては、車両において手動スイッチ等による警戒開始信号が入力された場合に、入力直前と入力後の車両の位置を比較し、比較した位置が相違する場合に、所定の警告信号，入力前後の位置情報，車両内を撮影した静止画像や車両内の音をネットワークを介して受信センタに送信し、受信センタは車両の使用者や所定の機関にこれらの情報を送信することが記載されている。
【０００４】
【特許文献１】特開２００３−９５０７２号公報（段落「０００９」〜「００１９」、図２）
【発明の開示】
【発明が解決しようとする課題】
【０００５】
車両の盗難に関しては、窃盗犯が車両を運転して盗もうとする場合と、他の車両で牽引または搬送して盗もうとする場合がある。しかし、上述した特許文献１に記載の発明においては、これらのそれぞれの場合に対応したきめ細かな対応策がとられていないという問題がある。
【０００６】
また、特許文献１に記載の発明においては、盗難に遭った場合に受信センタに通報はしているものの、盗難車両の中にいる窃盗犯を車両内に閉じこめるとか、盗難車両を運転不可状態にしたり、牽引または搬送の場合には盗難車両のドアをロックして人が入れないようにするといった、盗難車両の使用を禁止させる対策が何らとられていないという問題がある。
【０００７】
本発明は、以上の問題を解決する車両盗難対応装置，車両盗難対応システム，方法およびプログラムを提供することを目的とする。
【課題を解決するための手段】
【０００８】
本発明の第１の車両盗難対応装置は、車両盗難監視の開始指示を入力する手段と、開始指示入力受信後に盗難の有無を監視し、窃盗犯の運転による盗難か牽引または搬送による盗難かの盗難の種類を判別する手段と、盗難の種類に応じて異なる盗難通知情報をネットワークを介して所定の盗難処理サーバに送信する手段と、盗難を識別したときに、車両のエンジンやドア，窓をロックする手段とを有する。
【０００９】
本発明の第２の車両盗難対応装置は、車両盗難監視の開始指示を入力する手段と、開始指示入力受信後に盗難の有無を監視し、車両移動を伴った盗難か車両移動を伴わない盗難かの盗難の種類を判別する手段と、盗難の種類に応じて異なる盗難通知情報をネットワークを介して所定の盗難処理サーバに送信する手段と、盗難を識別したときに、車両のエンジンやドア，窓をロックする手段とを有する。
【００１０】
本発明の第３の車両盗難対応装置は、盗難監視の開始指示を入力する手段と、開始指示入力受信時に車両の位置を測位し監視開始位置情報として記録する手段と、開始指示入力受信後にエンジンの作動を検出すると窃盗犯の運転による盗難と判断し、作動中のエンジンを強制停止させ、エンジンやドア，窓をロックする手段と、車両内部を撮影する第１のビデオカメラによる撮影映像を前記監視開始位置情報とともに第１の盗難通知情報に含めネットワークを介して所定の盗難処理サーバに送信する手段と、一定時間毎に車両の現在位置を測位して前記監視開始位置と同じかを比較する手段と、同じでなくエンジンの作動も無かった場合は牽引または搬送による盗難と判断し、エンジンやドア，窓をロックする手段と、車両前方の風景を撮影する第２のビデオカメラによる撮影映像を車両の現在位置情報とともに第２の盗難通知情報に含めネットワークを介して前記盗難処理サーバに送信する手段とを有する。
【００１１】
本発明の第１の車両盗難対応システムは、車両に備えられた車両盗難対応装置，第１のビデオカメラ，第２のビデオカメラと、盗難処理サーバと、車両所有者端末と、これらを相互に接続するインターネットとを備えた車両盗難対応システムであって、
前記車両盗難対応装置は、盗難監視の開始指示を入力する手段と、開始指示入力受信時に車両の位置を測位し監視開始位置情報として記録する手段と、開始指示入力受信後にエンジンの作動を検出すると窃盗犯の運転による盗難と判断し、作動中のエンジンを強制停止させ、エンジンやドア，窓をロックする手段と、車両内部を撮影する前記第１のビデオカメラによる撮影映像を前記監視開始位置情報とともに第１の盗難通知情報に含め前記盗難処理サーバに送信する手段と、一定時間毎に車両の現在位置を測位して前記監視開始位置と同じかを比較する手段と、同じでなくエンジンの作動も無かった場合は牽引または搬送による盗難と判断し、エンジンやドア，窓をロックする手段と、車両前方の風景を撮影する前記第２のビデオカメラによる撮影映像を車両の現在位置情報とともに第２の盗難通知情報に含め前記盗難処理サーバに送信する手段とを有し、
前記第１のビデオカメラは、運転席を主体とした車両内部を撮影可能な場所に設置され、前記車両盗難対応装置から起動されて撮影する手段と、撮影した映像を前記車両盗難対応装置に送信する手段とを有し、
前記第２のビデオカメラは、車両の前方風景を撮影可能な場所に設置され、前記車両盗難対応装置から起動されて撮影する手段と、撮影した映像を前記車両盗難対応装置に送信する手段とを有し、
前記盗難処理サーバは、前記車両盗難対応装置から受信した第１または第２の盗難通知情報を記録する手段と、前記車両所有者端末に盗難情報を送信する手段とを有し、
前記車両所有者端末は、前記盗難処理サーバから送信された盗難情報を受信して表示する手段を有する。
【００１２】
本発明の第２の車両盗難対応システムは、本発明の第１の車両盗難対応システムにおいて、前記盗難処理サーバが、所定の関係機関端末に前記インターネットを介して盗難情報を送信する手段をさらに有する。
【００１３】
本発明の第３の車両盗難対応システムは、本発明の第１または第２の車両盗難対応システムにおいて、前記盗難処理サーバは、前記第１または第２の盗難通知情報に含まれる車両ＩＤを基に予め内部に登録された車両情報を取得し、前記盗難情報として、日時情報，車両移動を伴った盗難か伴わない盗難かを示す盗難の種類，車両の位置情報，車両情報，映像を含む情報を送信することを特徴とする。
【００１４】
本発明の第４の車両盗難対応システムは、本発明の第１または第２の車両盗難対応システムにおいて、前記盗難処理サーバは、前記第１または第２の盗難通知情報に含まれる車両ＩＤを基に予め内部に登録された車両情報を取得し、日時情報，車両移動を伴った盗難か伴わない盗難かを示す盗難の種類，車両の位置情報，車両情報，映像を含む盗難情報の中から、送信先端末毎に予め登録された盗難情報を選択して送信することを特徴とする。
【００１５】
本発明の第５の車両盗難対応システムは、本発明の第３または第４の車両盗難対応システムにおいて、前記車両情報は車種，車両ナンバー，車両の色を含むことを特徴とする。
【００１６】
本発明の車両の盗難対応方法は、車両に備えられた車両盗難対応装置，第１のビデオカメラ，第２のビデオカメラと、盗難処理サーバと、関係機関端末と、車両所有者端末と、これらを相互に接続するインターネットとを備えたシステムにおける車両の盗難対応方法であって、
前記車両盗難対応装置が盗難監視の開始指示を受信するステップと、前記車両盗難対応装置が開始指示入力受信時に車両の位置を測位し監視開始位置情報として記録するステップと、前記車両盗難対応装置が開始指示入力受信後にエンジンの作動を検出すると窃盗犯の運転による盗難と判断し、作動中のエンジンを強制停止させ、エンジンやドア，窓をロックするステップと、車両内部を撮影する前記第１のビデオカメラによる撮影映像を前記車両盗難対応装置が前記監視開始位置情報とともに第１の盗難通知情報に含め前記盗難処理サーバに送信するステップと、前記車両盗難対応装置が一定時間毎に車両の現在位置を測位して前記監視開始位置と同じかを比較するステップと、同じでなくエンジンの作動も無かった場合は前記車両盗難対応装置が牽引または搬送による盗難と判断し、エンジンやドア，窓をロックするステップと、車両前方の風景を撮影する前記第２のビデオカメラによる撮影映像を前記車両盗難対応装置が車両の現在位置情報とともに第２の盗難通知情報に含め前記盗難処理サーバに送信するステップと、前記盗難処理サーバが前記車両盗難対応装置から受信した第１または第２の盗難通知情報を記録するステップと、前記盗難処理サーバが前記関係機関端末または前記車両所有者端末の一方または両方に盗難情報を送信するステップとを有する。
【００１７】
本発明のプログラムは、盗難監視の開始指示入力を受信する機能、開始指示入力受信時に車両の位置を測位し監視開始位置情報として記録する機能、開始指示入力受信後にエンジンの作動を検出すると窃盗犯の運転による盗難と判断し、作動中のエンジンを強制停止させ、エンジンやドア，窓をロックする機能、車両内部を撮影する第１のビデオカメラによる撮影映像を前記監視開始位置情報とともに第１の盗難通知情報に含めネットワークを介して盗難処理サーバに送信する機能、一定時間毎に車両の現在位置を測位して前記監視開始位置と同じかを比較する機能、同じでなくエンジンの作動も無かった場合は牽引または搬送による盗難と判断し、エンジンやドア，窓をロックする機能、車両前方の風景を撮影する第２のビデオカメラによる撮影映像を車両の現在位置情報とともに第２の盗難通知情報に含めネットワークを介して盗難処理サーバに送信する機能、をコンピュータに実現させる。
【発明の効果】
【００１８】
本発明は、窃盗犯が車両を運転して盗もうとした場合には、エンジンを強制停止させて車両の移動を禁止し、ドアロックをして窃盗犯を車両内に閉じこめるとともに、車両移動の無い盗難である旨の警告と車両内の映像を盗難監視サーバに送信し、牽引または搬送による盗難の場合には、エンジンおよびドアのロックをするとともに、車両移動の有る盗難である旨の警告と車両前方の牽引車両，搬送車両や前方の風景の映像とを盗難監視サーバに送信するようにしたため、窃盗犯が車両を運転して盗もうとした場合と、他の車両で牽引または搬送して盗もうとした場合のそれぞれに対応した適切な処理が行えるという効果と、盗難車両そのものの使用を禁止させる効果がある。
【発明を実施するための最良の形態】
【００１９】
本発明を実施するための最良の形態について図面を参照して詳細に説明する。
【００２０】
図１は、本発明を実施するための最良の形態の構成を示す図であり、車両に備えられた車両盗難対応装置１０，第１のビデオカメラ１６，第２のビデオカメラ１７と、盗難処理サーバ２０と、関係機関端末３０と、車両所有者端末４０と、これらを相互に接続するインターネット１００とを備えている。
【００２１】
車両盗難対応装置１０は、車両に備えられた情報処理装置であり、例えば、カーナビゲーション装置を車両盗難対応装置１０として用いるようにしてもよい。この車両盗難対応装置１０は、制御部１１と、監視開始入力部１２と、位置測位部１３と、記憶部１４と、車両制御部１５とを備えている。
【００２２】
制御部１１は、例えばＣＰＵ等の制御装置であり、プログラムによりその動作を制御される。この制御部１１は、監視開始入力部１２から監視開始信号を受けたときに、車両の現在位置情報を位置測位部１３から取得して監視開始位置情報として記憶部１４に記録する手段と、監視開始信号受信後にエンジンが作動した場合は、車両制御部１５を介してエンジン停止とエンジン起動ロック，ドアロック，窓閉塞と窓開閉ロックを行うとともに、第１のビデオカメラ１６に撮影を開始させ、第１の盗難情報（車両ＩＤ，監視開始位置情報，車両内部の映像，第１の盗難の種類情報）を盗難処理サーバ２０に送信する手段と、監視開始信号受信後にエンジンの作動がない限り、車両の現在位置と監視開始位置とを比較する手段と、車両の現在位置と監視開始位置とが違っていた場合は、車両制御部１５を介してエンジン起動ロック，ドアロック，窓閉塞と窓開閉ロックを行うとともに、第２のビデオカメラ１７に撮影を開始させ、第２の盗難情報（車両ＩＤ，現在位置情報，車両前方の映像，第２の盗難の種類情報）を盗難処理サーバ２０に送信する手段とを備えている。なお、盗難の種類情報とは車両移動の無い盗難（窃盗犯の運転による盗難）か、車両移動の有る盗難（牽引や搬送による盗難）かを示す情報であり、前者は第１の盗難情報における盗難の種類情報に、また、後者は第２の盗難情報における盗難の種類情報に相当する。
【００２３】
監視開始入力部１２は、運転者が車両を駐車した後、車両盗難を監視したい場合に監視の開始を指示するための入力手段であり、例えばボタンやスイッチ等である。位置測位部１３は、車両の現在位置を測位する装置であり、例えばＧＰＳ機能を備えた装置である。記憶部１４は、書き込み，読み出し可能な記憶装置であり、車両の監視開始時点の位置情報や、盗難処理サーバ２０の盗難情報データベース２２３に登録された自車両の車両ＩＤ、第１および第２の盗難の種類情報、盗難処理サーバ２０のアドレス等が格納される。車両制御部１５は、車両の運転に関する全般的な制御を行う制御装置であり、作動中のエンジンを停止させる手段や、エンジンの起動を不可とするエンジンロック手段、車両内部，外部からドアが開かないようロックするドアロック手段、窓を閉じる手段、窓を閉じた後開かないようにロックする窓ロック手段を含んでいる。なお、これらのロック手段等の詳細については特開２０００−２６５７２０号公報等に記載されており公知であるため、ここでの詳細な説明は省略する。また、車両の開閉可能な全ての窓にはパワーウィンドウ機構が装備されているものとする。
【００２４】
第１のビデオカメラ１６は、運転席を主体とした車両内部を撮影可能な場所に設置されたビデオカメラであり、制御部１１により撮影開始を指示される。第２のビデオカメラ１７は、車両の前方を撮影可能な場所に設置されたビデオカメラであり、制御部１１により撮影開始を指示される。第１，第２のビデオカメラともに暗い場所でも撮影可能な赤外線撮影のカメラとしてもよい。
【００２５】
盗難処理サーバ２０は、車両盗難に関するサービス提供業者により設置されるサーバ等の情報処理装置である。この盗難処理サーバ２０は、制御部２１と、記憶部２２とを備え、記憶部２２には車両データベース２２１と、関係機関データベース２２２と、盗難情報データベース２２３とが格納されている。
【００２６】
制御部１１は、例えばＣＰＵ等の制御装置であり、プログラムによりその動作を制御される。この制御部１１は、車両盗難対応装置１０から盗難情報を受信したときに、盗難情報データベース２２３に日時情報とともに盗難情報を登録する手段と、車両データベース２２１を参照し車両情報（例えば、車種，車両ナンバー，色等）を取得する手段と、関係機関端末３０や車両所有者端末４０に盗難に関する通知や映像を送信する手段とを備えている。
【００２７】
車両データベース２２１には、図２（車両データベース２２１に格納されるデータの一例を示す図）に示すように、車両盗難に関するサービス提供業者と契約しているユーザや車両に関するデータが格納されている。格納されるデータは、例えば、車両ＩＤ，車両所有者名，所有者端末アドレス，車種，車両ナンバー，色等である。関係機関データベース２２２には、図３（関係機関データベース２２２に格納されるデータの一例を示す図）に示すように、警察や警備会社等の関係機関の端末アドレスが格納されている。盗難情報データベース２２３には、図４（盗難情報データベース２２３に格納されるデータの一例を示す図）に示すように、発生日時とともに車両ＩＤ，盗難の種類（車両移動の無い盗難、車両移動の有る盗難），位置情報等が含まれており、この他に映像データを加えてもよい。
【００２８】
関係機関端末３０は、警察や警備会社等の関係機関に設置されたパーソナルコンピュータ等の情報処理装置であり、盗難処理サーバ２０から送信される盗難情報を受信，表示する手段を備えている。
【００２９】
車両所有者端末４０は、車両の所有者が使用する携帯電話機等の携帯端末やパーソナルコンピュータ等の情報処理装置であり、盗難処理サーバ２０から送信される盗難情報を受信，表示する手段を備えている。
【００３０】
次に、本発明を実施するための最良の形態の動作について図１〜図５を参照して説明する。図５は、本発明を実施するための最良の形態の動作を示すフローチャートである。
【００３１】
図５を参照すると、ユーザが駐車場等に駐車し車両を離れるときに、車両盗難対応装置１０の監視開始入力部１２から盗難監視の開始指示を入力する。具体的には、例えば、車両盗難対応装置１０上に設けられた盗難監視ボタンをユーザが押下することで開始指示入力とする。車両盗難対応装置１０は、監視開始入力部１２から盗難監視の開始指示入力を受けると（ステップＡ１）、位置測位部１３から現在の車両位置情報を取得し、記憶部１４に監視開始位置情報として記録する（ステップＡ２）。
【００３２】
次に、制御部１１はエンジンが作動したか否かを車両制御部１５の状態監視により判別する（ステップＡ３）。
【００３３】
なお、ステップＡ３からは、（１）ステップＡ４〜Ａ７と、（２）ステップＡ８〜Ａ１３の二つの動作に分かれる。（１）はエンジンが作動した場合であり、窃盗犯が車両に乗り込み自分で運転して盗もうとした場合の動作である。（２）はエンジンが作動しない状態で車両移動された場合であり、他の車両により牽引または搬送されて盗難に遭った場合の動作である。
【００３４】
（１）窃盗犯が車両に乗り込み自分で運転して盗もうとした場合の動作；
この場合は、運転するために窃盗犯は何らかの方法（例えば、ユーザが置き忘れたキーを使用したり、エンジン起動の配線を接続したり、等）でエンジンを作動させるため、制御部１１は運転による盗難（車両移動の無い盗難）と判断し（ステップＡ４）、エンジン停止とエンジン起動ロック、ドアロック、窓閉塞と窓開閉ロックを車両制御部１５に指示し、車両制御部１５は指示を受けてロック制御を行う。これにより、車両内の窃盗犯は車両内に閉じこめられた状態となり、車両外に逃走することも、車両を運転することも不可能となり、そのままの状態で駐車場に留まることになる（ステップＡ５）。
【００３５】
次に、制御部１１は、第１のビデオカメラ１６に撮影の開始信号を送り、第１のビデオカメラ１６は撮影を開始する。このとき、第１のビデオカメラ１６は運転席を主体とした車両内部を撮影可能な場所に設置されており、車両内部の閉じこめられた窃盗犯や車両内の状態を映し出すことになる（ステップＡ６）。
【００３６】
そして、制御部１１は、記憶部１４から読み出した車両ＩＤ，監視開始位置情報，第１の盗難の種類情報と、第１のビデオカメラ１６の撮影した車両内部の映像とを、盗難処理サーバ２０に送信する。ここで、第１の盗難の種類情報は車両移動の無い盗難を意味するものであり、後述する第２の盗難の種類情報（車両移動の有る盗難）と区別されている。これらの第１，第２の盗難の種類情報は車両盗難対応装置１０と盗難処理サーバ２０との間で統一されており、例えば記号や数字，文字等によるものとする（ステップＡ７）。
【００３７】
（２）牽引または搬送により車両移動された盗難に遭った場合の動作；
この場合はエンジンの作動は無いため、制御部１１は位置測位部１３から一定時間毎に車両の現在位置を取得し（ステップＡ８）、取得した現在位置と記憶部１４に格納された監視開始位置とを比較する（ステップＡ９）。
【００３８】
ステップＡ９による比較の結果、同じでなかった場合は、制御部１１は車両移動の有る盗難と判断し（ステップＡ１０）、エンジン起動ロック、ドアロック、窓閉塞と窓開閉ロックを車両制御部１５に指示し、車両制御部１５は指示を受けてロック制御を行う。これにより、外部から車両内に入り込めなくなり、車両を盗んでも使用できないようにすることができる（ステップＡ１１）。
【００３９】
次に、制御部１１は、第２のビデオカメラ１７に撮影の開始信号を送り、第２のビデオカメラ１７は撮影を開始する。このとき、第２のビデオカメラ１７は車両前方を撮影可能な場所に設置されており、車両前方の牽引車両のナンバープレートや前方の移動風景等を映し出すことになる（ステップＡ１２）。
【００４０】
そして、制御部１１は、位置測位部１３から取得した現在位置情報と、記憶部１４から読み出した車両ＩＤ，第２の盗難の種類情報と、第２のビデオカメラ１７の撮影した車両前方の映像とを、盗難処理サーバ２０に送信する（ステップＡ１３）。
【００４１】
上記（１）または（２）の動作に続く動作について説明する。
【００４２】
盗難処理サーバ２０の制御部２１は、（１）のステップＡ７または（２）のステップＡ１３により車両盗難対応装置１０から送信された盗難情報（車両ＩＤ，盗難の種類，位置情報，映像）に日時情報を追加して、盗難情報データベース２２３に登録する（図４参照）（ステップＡ１４）。
【００４３】
次に、制御部１１は、車両ＩＤをキーにして車両データベース２２１から車両情報（車種，車両ナンバー，色等）と盗難車両の所有者の端末アドレスを取得するとともに、関係機関データベース２２２から関係機関（例えば、警備会社）の端末アドレスを取得する（ステップＡ１５）。
【００４４】
制御部１１は、日時情報，盗難の種類，位置情報，車両情報および映像を、関係機関端末３０および車両所有者端末４０に送信し（ステップＡ１６）、関係機関端末３０および車両所有者端末４０は受信した情報を表示する（ステップＡ１７）。
【００４５】
なお、ステップＡ１７において、関係機関端末３０と車両所有者端末４０への送信情報は同じである必要はなく、予めそれぞれの端末に送信する内容を設定しておくことで、例えば、関係機関端末３０には上記の全ての情報を送信し、車両所有者端末４０には日時情報，盗難の種類，位置情報のみを送信するようにしてもよい。また、それぞれの車両所有者端末４０毎に送信する情報を予め車両所有者が登録しておき、盗難処理サーバ２０の制御部２１が登録された情報を選択して各車両所有者端末４０に送信するようにしてもよい。
【００４６】
また、図５のフローチャートには示していないが、この後、盗難の情報を受信した警備会社の警備員や車両所有者が現場に駆けつけることになる。そして、その時点では盗難車両のドアや窓，エンジン等がロックされた状態であるため、ロックを解除する必要がある。ロックの解除方法としては、例えば、警備員や車両所有者の携帯する携帯端末からインターネット１００を介して車両盗難対応装置１０にアクセスし、予め定めた解除コマンドを送信することで、車両盗難対応装置１０の制御部１１が車両制御部１５に解除を指示したり、第１のビデオカメラ１６，第２のビデオカメラ１７の撮影を停止させることにより行う。
【産業上の利用可能性】
【００４７】
本発明は、位置測位機能を備えた車両の盗難対策として利用が可能であり、各ユーザの自動車だけでなく、レンタカーやタクシー，バス等の車両全般に適用可能なものである。
【図面の簡単な説明】
【００４８】
【図１】本発明を実施するための最良の形態の構成を示す図である。
【図２】車両データベース２２１に格納されるデータの一例を示す図である。
【図３】関係機関データベース２２２に格納されるデータの一例を示す図である。
【図４】盗難情報データベース２２３に格納されるデータの一例を示す図である。
【図５】本発明を実施するための最良の形態の動作を示すフローチャートである。
【符号の説明】
【００４９】
１０    車両盗難対応装置
１１    制御部
１２    監視開始入力部
１３    位置測位部
１４    記憶部
１５    車両制御部
１６    第１のビデオカメラ
１７    第２のビデオカメラ
２０    盗難処理サーバ
２１    制御部
２２    記憶部
２２１    車両データベース
２２２    関係機関データベース
２２３    盗難情報データベース
３０    関係機関端末
４０    車両所有者端末
１００    インターネット
【図１】
2005029051.tif 000003
【図２】
2005029051.tif 000004
【図３】
2005029051.tif 000005
【図４】
2005029051.tif 000006
【図５】
2005029051.tif 000007